(57)【要約】【課題】搭乗運転部を走行車体の前部側で且つ高い位置に備えるようにしながらも、走行車体の構造の簡素化を図ることが可能となる刈取収穫機を提供する。【解決手段】左右一対の走行装置を備えた走行車体に、搭乗運転部と、作物を刈り取って後方に搬送する刈取搬送部とが備えられ、走行車体の前部に、前後方向に延びる左右一対の前後向きフレーム１７Ｒ，１７Ｌと、この左右一対の前後向きフレーム１７Ｒ，１７Ｌ夫々から立設された左右一対の縦フレームＦｔとが備えられ、左右一対の縦フレームＦｔの上端部にて搭乗運転部が支持され、刈取搬送部が、左右一対の縦フレームＦｔの間で且つ搭乗運転部の下方側に位置する状態で備えられる。【選択図】図８
2013158256.tif 000002
【特許請求の範囲】
【請求項１】
左右一対の走行装置を備えた走行車体に、搭乗運転部と、作物を刈り取って後方に搬送する刈取搬送部とが備えられている刈取収穫機であって、
前記走行車体の前部に、前後方向に延びる左右一対の前後向きフレームと、この左右一対の前後向きフレーム夫々から立設された左右一対の縦フレームとが備えられ、
前記左右一対の縦フレームの上端部にて前記搭乗運転部が支持され、
前記刈取搬送部が、前記左右一対の縦フレームの間で且つ前記搭乗運転部の下方側に位置する状態で備えられている刈取収穫機。
【請求項２】
前記左右一対の前後向きフレームが前記左右一対の走行装置の車体横幅方向内方側に備えられている請求項１記載の刈取収穫機。
【請求項３】
前記搭乗運転部が、正面視において前記左右一対の走行装置夫々の上方箇所に亘って設けられている請求項１又は２記載の刈取収穫機。
【請求項４】
前記搭乗運転部が、その前端部を前記左右一対の前後向きフレームの前端部よりも車体前方側に変位させた前方突出状態で設けられている請求項１〜３のいずれか１項に記載の刈取収穫機。
【請求項５】
前記搭乗運転部は、キャビンにより覆われている請求項１〜４のいずれか１項に記載の刈取収穫機。
【請求項６】
前記刈取搬送部が、車体横幅方向において、車体横幅方向中央に対して変位した位置に配備されている請求項１〜５のいずれか１項に記載の刈取収穫機。
【請求項７】
前記走行車体にエンジンが配備されており、
前記刈取搬送部は、車体横幅方向において、前記エンジンとは反対側に変位した位置に配備されている請求項６に記載の刈取収穫機。
【請求項８】
トランスミッションが前記搭乗運転部の下方に配備されており、
前記トランスミッションは、前記刈取搬送部と前記縦フレームとの間に配備されている請求項１〜７のいずれか１項に記載の刈取収穫機。
【請求項９】
前記左右一対の走行装置が左右一対の前輪と左右一対の後輪とで構成されている請求項１〜８のいずれか１項に記載の刈取収穫機。
【請求項１０】
前記縦フレームが、前記左右一対の前輪の車体横幅方向内方側にて立設された内側フレーム体と、前記左右一対の前輪の車体後方側にて立設された外側フレーム体とを備えて構成されている請求項９記載の刈取収穫機。
【請求項１１】
前記内側フレーム体は、前記左右一対の前輪の車軸に支持されている請求項１０記載の刈取収穫機。
【請求項１２】
前記左右一対の前後向きフレームに車体幅方向横外側に延びる張り出しフレームが設けられており、
前記外側フレーム体は、前記張り出しフレームに支持されている請求項１０又は１１記載の刈取収穫機。
【請求項１３】
前記外側フレーム体は、前記内側フレーム体に連結されている請求項１０〜１２のいずれか１項に記載の刈取収穫機。
【請求項１４】
前記内側フレーム体が、前記左右一対の前後向きフレームから車体前方上方に向けて立設された傾斜状内側フレーム体と、前記左右一対の前後向きフレームから直上方に向けて立設された直立状内側フレーム体とで構成され、
前記傾斜状内側フレーム体の上端部と前記直立状内側フレーム体の上端部とが前後向き連結体にて連結されている請求項１０〜１３のいずれか１項に記載の刈取収穫機。
【請求項１５】
前記外側フレーム体は、前記直立状内側フレーム体に連結されている請求項１４記載の刈取収穫機。
【請求項１６】
前記外側フレーム体は、前記直立状内側フレーム体に左右向きの連結体によって連結されている請求項１５に記載の刈取収穫機。
【発明の詳細な説明】
【技術分野】
【０００１】
本発明は、左右一対の走行装置を備えた走行車体に、搭乗運転部と、作物を刈り取って後方に搬送する刈取搬送部とが備えられている刈取収穫機に関する。
【背景技術】
【０００２】
従来の刈取収穫機の一例として、左右一対の走行装置として左右一対の前輪と左右一対の後輪とを備えた４輪式の走行車体を有する収穫機において、搭乗運転部及び駆動用のエンジン等の車体を構成する主要な構成要素を載置支持する平面視で略矩形状の機台が備えられ、その機台が下方に向けて一体的に延設された複数の縦フレーム部を介して左右一対の走行装置に支持されるように構成されたものがあった（例えば、特許文献１参照。）。特許文献１では示されていないが、刈取収穫機としてコンバインに適用する場合には、機台上に脱穀装置や穀粒タンク等の大重量の装置を載置支持することになる。
【先行技術文献】
【特許文献】
【０００３】
【特許文献１】特開昭６１−２１５１１０号公報
【発明の概要】
【発明が解決しようとする課題】
【０００４】
搭乗運転部は、刈取作業状況を目視しやすくするために、走行車体の前部側で且つ高い位置に備える必要があるが、上記従来構成では、搭乗運転部を機台にて支持する構成となっており、搭乗運転部を機台に支持させるために機台を高い位置に備える必要がある。しかし、機台は、搭乗運転部以外の車体の主要な構成要素を載置支持するものであるから大きな荷重を有するものであり、このような大きな荷重を支持する機台を複数の縦フレーム部にて支持するので、次のような不利がある。
【０００５】
すなわち、刈取収穫機は凹凸の多い作業地を走行するので、複数の縦フレームに対して大きな荷重を支持する機台側から車体前後方向や車体横幅方向に沿う力が掛かる場合があり、そのような力が加わると縦フレームと機台部分との接続部分が損傷し易いおそれがある。又、剛性を高めるためには、縦フレームの個数を多くさせたり、縦フレームと機台部分との連結部分の強度を向上させるために特別な構造を付加する必要があり、走行車体の構造が複雑になる不利があった。
【０００６】
本発明の目的は、搭乗運転部を走行車体の前部側で且つ高い位置に備えるようにしながらも、走行車体の構造の簡素化を図ることが可能となる刈取収穫機を提供する点にある。
【課題を解決するための手段】
【０００７】
本発明に係る刈取収穫機は、左右一対の走行装置を備えた走行車体に、搭乗運転部と、作物を刈り取って後方に搬送する刈取搬送部とが備えられているものであって、その第１特徴構成は、前記走行車体の前部に、前後方向に延びる左右一対の前後向きフレームと、この左右一対の前後向きフレーム夫々から立設された左右一対の縦フレームとが備えられ、前記左右一対の縦フレームの上端部にて前記搭乗運転部が支持され、前記刈取搬送部が、前記左右一対の縦フレームの間で且つ前記搭乗運転部の下方側に位置する状態で備えられている点にある。
【０００８】
第１特徴構成によれば、走行車体の前部において、前後方向に延びる左右一対の前後向きフレームが設けられ、この左右一対の前後向きフレーム夫々から左右一対の縦フレームが立設されて、左右一対の縦フレームの上端部にて搭乗運転部が支持される。このように構成することで、走行車体の前部側で且つ高い位置に搭乗運転部を備えることができる。
【０００９】
左右一対の縦フレームは、搭乗運転部を支持するものであり、搭乗運転部以外の他の装置を支持するものではなく、比較的簡素な構成であっても搭乗運転部を支持するのに充分な支持強度を備えさせることができる。尚、搭乗運転部以外の他の装置は、左右一対の前後向きフレームあるいは他のフレーム等によって支持される。
【００１０】
又、刈取搬送部が、左右一対の縦フレームの間で且つ搭乗運転部の下方側に位置する状態で備えられる。つまり、上述したように走行車体の前部側で且つ高い位置に搭乗運転部を備えるために備えられる左右一対の縦フレームの間で且つ搭乗運転部の下方側に形成される空間を有効利用して、刈取搬送部を配備することができ、走行車体の外形寸法を大型化して車体全体の構造を複雑にすることを回避し易いものとなる。
【００１１】
従って、搭乗運転部を走行車体の前部側で且つ高い位置に備えるようにしながらも、走行車体の構造の簡素化を図ることが可能となる刈取収穫機を提供できるに至った。
【００１２】
本発明の第２特徴構成は、前記左右一対の前後向きフレームが前記左右一対の走行装置の車体横幅方向内方側に備えられている点にある。
【００１３】
第２特徴構成によれば、左右一対の前後向きフレームが左右一対の走行装置の車体横幅方向内方側に備えられるから、左右一対の前後向きフレームを左右一対の走行装置に支持させることにより、走行装置に備えられる搭乗運転部以外の他の装置の重量のうち少なくとも前部側の重量を、左右一対の前後向きフレームを介して左右の走行装置にて支持させることができる。
【００１４】
本発明の第３特徴構成は、前記搭乗運転部が、正面視において前記左右一対の走行装置夫々の上方箇所に亘って設けられている点にある。
【００１５】
第３特徴構成によれば、左右一対の走行装置夫々の上方側の空間を有効に利用して、搭乗運転部を左右一対の走行装置夫々の上方箇所に亘る幅広に構成することができる。
【００１６】
本発明の第４特徴構成は、前記搭乗運転部が、その前端部を前記左右一対の前後向きフレームの前端部よりも車体前方側に変位させた前方突出状態で設けられている点にある。
【００１７】
第４特徴構成によれば、搭乗運転部が左右一対の前後向きフレームの前端部よりも前方に向けて突出する状態で設けられるので、搭乗運転部が車体前方側の作物刈取箇所に近づくので、搭乗運転部にて運転している運転者が機体前方側の刈取搬送部による刈取作業状況を確認し易いものとなる。
【００１８】
本発明の第５特徴構成は、前記搭乗運転部は、キャビンにより覆われている点にある。
【００１９】
第５特徴構成によれば、搭乗運転部がキャビンにより覆われるので、刈取作業に伴って発生する細かなワラ屑等の塵埃が搭乗運転部に飛散することがなく、運転者は操作環境がよい状態で運転を行うことができる。
【００２０】
本発明の第６特徴構成は、前記刈取搬送部が、車体横幅方向において、車体横幅方向中央に対して変位した位置に配備されている点にある。
【００２１】
第６特徴構成によれば、刈取搬送部は、左右一対の縦フレームの間で且つ前記搭乗運転部の下方側に位置する状態で、車体横幅方向において車体横幅方向中央に対して変位する状態で備えられることになる。つまり、左右一対の縦フレームの間で且つ搭乗運転部の下方側における刈取搬送部が変位している側とは反対側箇所に、大きめの空き領域が形成されることになり、その空き領域を利用して種々の装置を備えさせることができる。
【００２２】
本発明の第７特徴構成は、前記走行車体にエンジンが配備されており、前記刈取搬送部は、車体横幅方向において、前記エンジンとは反対側に変位した位置に配備されている点にある。
【００２３】
第７特徴構成によれば、刈取搬送部が車体横幅方向においてエンジンとは反対側に変位した位置に配備されるから、上記したような空き領域にエンジンからの動力が伝えられる伝動系の装置を備える構成であれば、伝動構造を簡素なものにし易い利点がある。
【００２４】
本発明の第８特徴構成は、トランスミッションが前記搭乗運転部の下方に配備されており、前記トランスミッションは、前記刈取搬送部と前記縦フレームとの間に配備されている点にある。
【００２５】
第８特徴構成によれば、左右一対の縦フレームの間で且つ搭乗運転部の下方側に形成される空間を有効利用してトランスミッションを配備することができる。又、トランスミッションが刈取搬送部と縦フレームとの間に配備されるので、刈取搬送部が刈高さを変更するために昇降自在に設けられる構成とする場合であっても、刈取搬送部の昇降操作の邪魔になることがない状態でトランスミッションを配備することができる。
【００２６】
本発明の第９特徴構成は、前記左右一対の走行装置が左右一対の前輪と左右一対の後輪とで構成されている点にある。
【００２７】
第９特徴構成によれば、左右一対の前輪と左右一対の後輪とにより走行装置が構成され、前輪あるいは後輪を縦軸芯周りで揺動させて操向操作することにより小回り旋回させることが可能となり、作業地にて収穫作業を行なっているような場合に旋回走行を行い易いものになる。
【００２８】
本発明の第１０特徴構成は、前記縦フレームが、前記左右一対の前輪の車体横幅方向内方側にて立設された内側フレーム体と、前記左右一対の前輪の車体後方側にて立設された外側フレーム体とを備えて構成されている点にある。
【００２９】
第１０特徴構成によれば、縦フレームが、左右一対の前輪の車体横幅方向内方側にて立設された内側フレーム体と、左右一対の前輪の車体後方側にて立設された外側フレーム体という立設される位置が互いに異なるフレーム体を備えて構成されるから、縦フレーム全体として充分な支持強度を有するものでありながら、上記各フレーム体の構造を簡素なものにできる。
【００３０】
すなわち、内側フレーム体は前輪の車体横幅方向内方側箇所から立設され、外側フレーム体は前輪の車体後方側箇所から立設されるのであり、それら内側フレーム体と外側フレーム体とは上部にて連結されることにより縦フレームを構成するので、側面視で略三角形状の支持構造体を形成することになり、上記各フレーム体の構造を簡素なものにしても、強固に搭乗運転部を支持することができるのである。
【００３１】
本発明の第１１特徴構成は、前記内側フレーム体は、前記左右一対の前輪の車軸に支持されている点にある。
【００３２】
第１１特徴構成によれば、内側フレーム体が左右一対の前輪の車軸に支持されるので、搭乗運転部の重量を内側フレーム体及び車軸を介して前輪にて直接に支持させることができる。その結果、左右一対の前後向きフレームの支持強度を必要以上に高める必要がなく、構成の簡素化を図ることが可能となる。
【００３３】
本発明の第１２特徴構成は、前記左右一対の前後向きフレームに車体幅方向横外側に延びる張り出しフレームが設けられており、前記外側フレーム体は、前記張り出しフレームに支持されている点にある。
【００３４】
第１２特徴構成によれば、内側フレーム体を支持する左右一対の前後向きフレームから車体幅方向横外側に延びる状態で張り出しフレームが設けられ、外側フレーム体がその張り出しフレームにて支持される。このように、左右一対の前後向きフレームから車体幅方向横外側に延びる張り出しフレームに外側フレーム体を支持させるようにしたので、左右夫々の前輪と左右夫々の後輪との間の前後中間の空間を利用して、外側フレーム体を強固に支持させることができる。
【００３５】
本発明の第１３特徴構成は、前記外側フレーム体は、前記内側フレーム体に連結されている点にある。
【００３６】
第１３特徴構成によれば、外側フレーム体と内側フレーム体とが連結されるので、それらが一体的に連結されて構造体を構成することで、上記各フレーム体が夫々単独で搭乗運転部を支持するものに比べて、縦フレーム全体としての支持強度が大きいものでありながら、各フレーム体の構成を簡素にできる。
【００３７】
本発明の第１４特徴構成は、前記内側フレーム体が、前記左右一対の前後向きフレームから車体前方上方に向けて立設された傾斜状内側フレーム体と、前記左右一対の前後向きフレームから直上方に向けて立設された直立状内側フレーム体とで構成され、前記傾斜状内側フレーム体の上端部と前記直立状内側フレーム体の上端部とが前後向き連結体にて連結されている点にある。
【００３８】
第１４特徴構成によれば、左右一対の前後向きフレームから車体前方上方に向けて傾斜状内側フレーム体が立設され、左右一対の前後向きフレームから直上方に向けて直立状内側フレーム体が立設されて、それらの傾斜状内側フレーム体の上端部と直立状内側フレーム体の上端部とを前後向き連結体にて連結して、内側フレーム体が構成される。
【００３９】
このように、内側フレーム体が、傾斜状内側フレーム体、直立状内側フレーム体、及び、連結体を、側面視で略三角形状に一体的に連結して構成されるので、トラス構造に相当する構造体を形成して大きな支持強度を有する。
【００４０】
従って、内側フレーム体は、全体として充分な支持強度を有するものでありながら、各フレーム体及び連結体夫々の構造を簡素なものにできる。
【００４１】
本発明の第１５特徴構成は、前記外側フレーム体は、前記直立状内側フレーム体に連結されている点にある。
【００４２】
第１５特徴構成によれば、直立状内側フレーム体は直上方に向けて立設されるものであるから、搭乗運転部の重量を前後向きフレームに対して略直下方に向けてそのまま受け止め支持するものであり、内側フレーム体のうちで主要な強度メンバーとなるものであるが、外側フレーム体がこの直立状内側フレーム体に連結されるので、縦フレーム全体としての支持強度を充分大きなものにできる。
【００４３】
本発明の第１６特徴構成は、前記外側フレーム体は、前記直立状内側フレーム体に左右向きの連結体によって連結されている点にある。
【００４４】
第１６特徴構成によれば、外側フレーム体と直立状内側フレーム体とが左右向きの連結体によって連結される。この左右向きの連結体を利用して搭乗運転部を支持する構成にすると、搭乗運転部を支持する箇所を連結体の左右方向の幅のうちのいずれか任意の位置に設定することができ、搭乗運転部を左右方向に広い範囲で安定した状態で支持させることが可能となる。
【図面の簡単な説明】
【００４５】
【図１】コンバインの右側全体側面図である。
【図２】コンバインの左側全体側面図である。
【図３】コンバインの全体平面図である。
【図４】コンバインの全体背面図である。
【図５】コンバインの全体正面図である。
【図６】フレーム構造を示す斜視図である。
【図７】フレーム構造を示す平面図である。
【図８】フレーム構造を示す斜視図である。
【図９】フレーム構造を示す背面図である。
【図１０】車体前部のフレーム構造を示す平面図である。
【図１１】フレーム構造を示す正面図である。
【図１２】フレーム構造を示す側面図である。
【図１３】エンジンの吸排気構造を示す図である。
【発明を実施するための形態】
【００４６】
以下、図面に基づいて、本発明に係る刈取収穫機をコンバインに適用した場合について説明する。
図１〜図３に示すように、コンバインは、左右一対の操向不能な前輪１と左右一対の操向操作可能な後輪２とを備えた走行車体３の前部に、作物を刈り取って後方に搬送する刈取搬送部４が昇降用アクチュエータとしての刈取昇降シリンダ５により横向き支点Ｐ１周りで駆動昇降自在に支持され、走行車体３には、前部側にキャビン６にて覆われた搭乗運転部７、刈取搬送部４にて刈り取られた作物の脱穀処理を行う脱穀部８、その脱穀部８にて脱穀処理されて得られた穀粒を貯留する穀粒タンク９、駆動用のエンジン１０等が備えられている。又、走行車体３の左右両側部はカバー体６２にて覆われる構成となっている。
【００４７】
刈取搬送部４は、植立する作物を刈り取ったのち刈り取った作物を刈幅方向の中央部に寄せ集める刈取部１１と、刈り取られて中央に寄せ集められた作物を機体後方の脱穀部８に向けて搬送するフィーダ１２とを備えて構成されている。
【００４８】
図３に示すように、刈取部１１は、作物の株元を切断して刈り取るバリカン型の刈刃１３、刈り取った作物を刈幅方向の中央部に寄せ集める横送りオーガ１４、刈取対象となる作物の穂先側を後方に向けて掻込む回転リール１５等を備えて構成されている。フィーダ１２は、図示はしないが、角筒状のフィードケース内に、前後方向に亘って左右一対の無端回動チェーンが巻回張設され、左右の無端回動チェーンにわたり周方向に沿って適宜間隔をあけて搬送体を架設してあり、搬送体によって刈取部１１から受け渡された作物を後方上方に向けて搬送するように構成されている。
【００４９】
次に、走行車体３における車体支持構造について説明する。
図６〜図８に示すように、走行車体３の車体フレームＦは、走行車体３の左右両側に位置し且つ走行車体３の前後方向にわたって延びる状態で配備された複数の前後向きフレーム体１７、及び、走行車体３の横方向に沿って延びる複数の横向きフレーム体１８を備えて構成されている。
【００５０】
具体的には、複数の前後向きフレーム体１７の一例として、左右一対の前後向きフレーム体１７Ｒ，１７Ｌが備えられ、左右一対の前後向きフレーム体１７Ｒ，１７Ｌは、夫々、断面形状が略コの字形に形成されて、車体側面視で左右前輪１の略中心部に相当する位置から左右後輪２の略中心部に相当する位置まで車体前後方向の全長にわたって長く延びる状態で備えられている。
【００５１】
図９に示すように、左右一対の前後向きフレーム体１７Ｒ，１７Ｌは、夫々、断面形状が略コの字形に形成されて、車体側面視で左右前輪１の略中心部に相当する位置から左右後輪２の略中心部に相当する位置まで車体前後方向の略全長にわたって長く延びる状態で備えられている。
【００５２】
又、一対の前後向きフレーム体１７Ｒ，１７Ｌは、一対の前輪１及び一対の後輪２よりも車体横幅方向内方側に位置する状態で備えられ、一対の前後向きフレーム体１７Ｒ，１７Ｌの車体横幅方向の中央部ＣＬから前後向きフレーム体（１７Ｒ又は１７Ｌ）までの車体横幅方向の間隔Ｌ１が、前後向きフレーム体（１７Ｒ又は１７Ｌ）と前輪１及び後輪２との間での車体横幅方向の間隔（Ｌ２，Ｌ３）よりも大になるように構成されている。
【００５３】
すなわち、図９に示すように、一対の前後向きフレーム体１７Ｒ，１７Ｌの車体横幅方向の中央部ＣＬから前後向きフレーム体（１７Ｒ又は１７Ｌ）までの車体横幅方向の間隔Ｌ１が、左右の前後向きフレーム体（１７Ｒ又は１７Ｌ）と左右の前輪１との間での車体横幅方向の間隔Ｌ２よりも大となり、又、前記車体横幅方向の中央部ＣＬから前後向きフレーム体（１７Ｒ又は１７Ｌ）までの車体横幅方向の間隔Ｌ１が、左右の前後向きフレーム体（１７Ｒ又は１７Ｌ）と左右両側の後輪２との間での車体横幅方向の間隔Ｌ３よりも大となるように構成されている。
このように、左右一対の前後向きフレーム体１７Ｒ，１７Ｌは、走行車体３の横幅方向に広い間隔をあける状態で且つ左右両側の前輪１及び後輪２に極力近づけた状態で配備されている。
【００５４】
図７及び図８に示すように、複数の横向きフレーム体１８として、走行車体３の横方向に沿って延びる状態で且つ前後方向に間隔をあけた状態で６個の横向きフレーム体１８ａ〜１８ｆが備えられ、これらの横向きフレーム体１８ａ〜１８ｆと一対の前後向きフレーム体１７Ｒ，１７Ｌとを平面視で格子状に組み合わせて車体フレームＦが構成されている。
【００５５】
一対の前後向きフレーム体１７Ｒ，１７Ｌの車体前端部同士が、６個の横向きフレーム体１８ａ〜１８ｆのうちの車体前後方向の最前部に位置する前部側横向きフレーム体１８ａによって連結されており、一対の前後向きフレーム体１７Ｒ，１７Ｌの車体後端部同士が、６個の横向きフレーム体１８ａ〜１８ｆのうちの車体前後方向の最後部に位置する後部側横向きフレーム体１８ｆによって連結されている。
【００５６】
又、車体フレームＦは、車体前後方向において前輪１と後輪２との間に位置する箇所に、一対の前後向きフレーム体１７Ｒ，１７Ｌから車体横幅方向外方側に張り出す張り出しフレーム部Ｆｈを備えて構成されている。
【００５７】
すなわち、６個の横向きフレーム体１８ａ〜１８ｆのうち、前輪１と後輪２との間に位置する３本の横向きフレーム体１８ｃ〜１８ｅが、前後向きフレーム体１７Ｒ，１７Ｌから車体横幅方向外方側に張り出すように構成され、これらの張り出し型の横向きフレーム体１８ｃ〜１８ｅにおける前後向きフレーム体１７Ｒ，１７Ｌから車体横幅方向外方側に張り出す部分が前記張り出しフレーム部Ｆｈを構成している。
【００５８】
図７に示すように、３本の張り出し型の横向きフレーム体１８ｃ〜１８ｅのうち、車体前部に位置する２本の張り出し型の横向きフレーム体１８ｃ，１８ｄにおける右側外方側に張り出している張り出しフレーム部Ｆｈに支持される状態でエンジン１０が配備されている。
【００５９】
具体的に説明すると、図８及び図９にも示すように、車体前部に位置する２本の張り出し型の横向きフレーム体１８ｃ，１８ｄの右側外方側に張り出している張り出しフレーム部Ｆｈの上部、及び、右側の前後向きフレーム体１７Ｒの上部にわたってエンジン１０が搭載されて支持される構成となっている。そして、２本の張り出し型の横向きフレーム体１８ｃ，１８ｄの外方側端部同士を前後向き連結フレーム体１９にて連結する構成となっており、この前後向き連結フレーム体１９の後端部と右側の前後向きフレーム体１７Ｒとの間が補強用フレーム体２０が連結されている。
【００６０】
このように右側の前後向きフレーム体１７Ｒ、２本の張り出し型の横向きフレーム体１８ｃ，１８ｄ、前後向き連結フレーム体１９、補強用フレーム体２０等によって、充分な支持強度を有する状態でエンジン１０を支持する構成となっている。ちなみに、補強用フレーム体２０の下面側には縦向きの面を備えた補強リブ２１が設けられている。
【００６１】
３本の張り出し型の横向きフレーム体１８ｃ〜１８ｅのうちの車体後部に位置する２本の張り出し型の横向きフレーム体１８ｄ，１８ｅ同士の間は、車体前部に位置する２本の張り出し型の横向きフレーム体１８ｃ，１８ｄ同士の間隔よりも広くなるように設けられている。
【００６２】
図７に示すように、前部側横向きフレーム体１８ａの左右両側端部に、左右両側の前輪１に動力を伝達するための駆動用の前輪駆動ケース２２が各別に固定連結され、この前輪駆動ケース２２は、エンジン１０の動力がトランスミッションＭを介して伝達され、前輪１を駆動回転自在且つ操向不能な状態で支持する構成となっている。従って、前部側横向きフレーム体１８ａの左右両側端部にて、左右一対の前輪１が駆動回転自在に且つ操向不能な状態で支持される構成となっている。図１２の記載から明らかなように、前部側横向きフレーム体１８ａは、左右の前輪１の車軸に相当する部材であるということができる。
【００６３】
図５に示すように、刈取搬送部４におけるフィーダ１２がキャビン６の下方に配備されており、そのフィーダ１２が、車体横幅方向中央に対して、車体横幅方向左側、つまり、エンジン１０が配備される側とは反対側に変位した位置に配備されている。又、トランスミッションＭは、キャビン６の下方に位置する状態で、且つ、刈取搬送部４におけるフィーダ１２に対して進行方向視で右側（図５では左側）に位置する状態で配備されている。
【００６４】
図４に示すように、左右一対の後輪２を支持する後車軸ケース２３が、後部側横向きフレーム体１８ｆに対して車体前後軸芯Ｘ１周りで揺動自在に支持されている。つまり、車体横方向に延びる円筒状の後車軸ケース２３の左右両側部に左右の後輪２が縦軸芯Ｙ１周りで操向揺動自在に支持されるとともに、後車軸ケース２３の左右中間部が後部側横向きフレーム体１８ｆに備えられた支持ブラケット２５に対して車体前後軸芯Ｘ１周りで揺動自在に枢支連結されている。従って、左右の後輪２は後車軸ケース２３と一体的に車体前後軸芯Ｘ１周りで揺動自在に支持される構成となっている。
【００６５】
図８に示すように、後車軸ケース２３は、後部側横向きフレーム体１８ｆの下方側に位置する状態で備えられており、一対の前後向きフレーム体１７Ｒ，１７Ｌにおける後部側横向きフレーム体１８ｆが架設連結される車輪支持部Ｈ１は、それよりも車体前部側に位置して後車軸ケース２３と略同じ高さに位置する本体部Ｈ２に対して、上方側に位置するように形成されている。すなわち、一対の前後向きフレーム体１７Ｒ，１７Ｌは、後車軸ケース２３と略同じ高さに位置する本体部Ｈ２と、後車軸ケース２３の上方側に位置するように本体部Ｈ２から後方上方に延設された車輪支持部Ｈ１とを備えて構成されている。
【００６６】
図７及び図８に示すように、左右一対の前後向きフレーム体１７Ｒ，１７Ｌの左右中間部において、車体後部側に位置する２本の横向きフレーム体１８ｄ，１８ｅ同士にわたって、前後向きの補助フレーム体２６が架設連結されている。そして、左側の前後向きフレーム体１７Ｌ、補助フレーム体２６、三本の張り出し型の横向きフレーム体１８ｃ，１８ｄ，１８ｅの夫々により載置支持される状態で脱穀部８が備えられている。この脱穀部８は、エンジン１０の左横側方に位置する状態で、その横幅方向中心が走行車体３の横幅方向中心よりも左側に変位した状態で備えられている。
【００６７】
従って、エンジン１０が一対の前後向きフレーム体１７Ｒ，１７Ｌのうち一方（右側）の前後向きフレーム体１７Ｒに支持され、脱穀部８が一対の前後向きフレーム体１７Ｒ，１７Ｌのうち他方（左側）の前後向きフレーム体１７Ｌに支持される構成となっている。
【００６８】
図９に示すように、穀粒タンク９は、脱穀部８の上方に位置する状態で且つ脱穀部８の上方並びにエンジン１０を含む右側外方側に張り出している張り出しフレーム部Ｆｈの上方にわたる横方向に幅広に構成されている。そして、図８に示すように、右側外方側に張り出している張り出しフレーム部Ｆｈに相当する箇所において、車体フレームＦから立設する状態で延設されたタンク支持用フレーム体２７により支持される構成となっている。
【００６９】
図７及び図８に示すように、タンク支持用フレーム体２７は、補強用フレーム体２０における横外方側箇所と機体内方側箇所（右側の前後向きフレーム体１７Ｒとの連結箇所）、及び、車体最後部に位置する張り出し型の横向きフレーム体１８ｅにおける横外方側箇所と機体内方側箇所（右側の前後向きフレーム体１７Ｒとの連結箇所）の夫々（４箇所）に設けられ、穀粒タンク９は、これら４本のタンク支持用フレーム体２７によって支持される構成となっている。尚、車体最後部に位置する張り出し型の横向きフレーム体１８ｅの下部には、補強用フレーム体２０と同様な補強リブ２８が設けられている。
【００７０】
刈取搬送部４を昇降駆動する刈取昇降シリンダ５の基端部が車体フレームＦの車体前部側箇所に支持されている。
すなわち、図１０及び図１１に示すように、６個の横向きフレーム体１８ａ〜１８ｆのうち、前部側から２番目に位置する横向きフレーム体１８ｂが、一対の前後向きフレーム体１７Ｒ，１７Ｌの下面側に位置して、それら一対の前後向きフレーム体１７Ｒ，１７Ｌ同士を連結する構成となっており、その横体横幅方向の途中部から機体前方に向けてシリンダ用ブラケット２９が固定延設されている。このシリンダ用ブラケット２９の前端部に刈取昇降シリンダ５の基端部が横軸芯Ｐ２周り（図１２参照）で揺動自在に枢支連結されている。
【００７１】
シリンダ用ブラケット２９は、前部側横向きフレーム体１８ａから斜め下方に延設された補強部材３０が連結固定されるとともに、左側の前後向きフレーム体１８Ｌから横向きに延設された補強部材３１が連結固定されて、支持強度を向上させるようにしてあり、刈取搬送部４の重量を良好に受け止め支持することができるように構成されている。
【００７２】
車体フレームＦが上記したように構成されることから、図７に示すように、車体フレームＦは、一対の前後向きフレーム体１７Ｒ，１７Ｌと張り出しフレーム部Ｆｈとにより、平面視で走行車体３の四隅に対応する位置に凹入部Ｑが形成される状態で設けられることになり、この凹入部Ｑに、左右の前輪１及び左右の後輪２が夫々配備される構成となっている。
【００７３】
次に、キャビン６にて覆われる搭乗運転部７の支持構造について説明する。
図６及び図８に示すように、走行車体３の前部において、車体フレームＦにおける左右一対の前後向きフレーム体１７Ｒ，１７Ｌ夫々から立設された左右一対の縦フレームＦｔが備えられ、左右一対の縦フレームＦｔの上端部にて搭乗運転部７（キャビン６）が支持される構成となっている。左右一対の縦フレームＦｔは、夫々、左右一対の前輪１の車体横幅方向内方側にて立設された内側フレーム体３３と、左右一対の前輪１の車体後方側にて立設された外側フレーム体３４とを備えて構成されている。
【００７４】
前記内側フレーム体３３について説明する。
左右両側の内側フレーム体３３は、夫々、車体フレームＦにおける前後向きフレーム体１７Ｒ，１７Ｌから車体前方上方に向けて立設された傾斜状内側フレーム体３３Ａと、前後向きフレーム体１７Ｒ，１７Ｌから直上方に向けて立設された直立状内側フレーム体３３Ｂとで構成されている。又、傾斜状内側フレーム体３３Ａの上端部と直立状内側フレーム体３３Ｂの上端部とが前後向き連結体３７にて連結されている。
【００７５】
説明を加えると、図１２に示すように、左右一対の前後向きフレーム体１７Ｒ，１７Ｌの前部側箇所に一体的に連結された取付ブラケット３８Ｒ，３８Ｌの夫々から上方に向けて延びる状態で３本の内側フレーム体３３が固定立設されている。
３本の内側フレーム体３３のうち前後方向の中間に位置する内側フレーム体３３は、左右一対の前後向きフレーム体１７Ｒ，１７Ｌから直上方に向けて立設された直立状内側フレーム体３３Ｂにて構成され、残りの２本の内側フレーム体３３は、左右一対の前後向きフレーム体１７Ｒ，１７Ｌから車体前方上方に向けて立設された傾斜状内側フレーム体３３Ａにて構成されている。
【００７６】
そして、図１１にも示すように、３本の内側フレーム体３３の上端部同士が車体前後方向に延びる前後向き連結体３７によって一体的に連結固定されている。前後向き連結体３７はチャンネル材にて構成され、そのコの字形の内部空間に３本の内側フレーム体３３が嵌り込み一体的に連結される構成となっている。
【００７７】
図１２に示すように、前部側の２本の内側フレーム体３３は、下部が連結されており、そのうちの後部側に位置する直立状内側フレーム体３３Ｂが直上方に向けて立設され、前部側に位置する傾斜状内側フレーム体３３Ａが上方に向かうほど前方に向かう傾斜姿勢になり、それら２本の内側フレーム体３３（３３Ａ，３３Ｂ）が上方に向かうほど離間するような状態で設けられている。又、後端側の内側フレーム体３３（後部側の傾斜状内側フレーム体３３Ａ）は、下部の取り付け位置が直立状内側フレーム体３３Ｂよりも後方側に離間した位置であり、上方に向かうほど直立状内側フレーム体３３Ｂの上端部に近づくように斜め姿勢となるように設けられている。
【００７８】
直立状内側フレーム体３３Ｂ、前部側の傾斜状内側フレーム体３３Ａ、及び、前後向き連結体３７によって側面視で略三角形が形成されており、又、後部側の傾斜状内側フレーム体３３Ａ、直立状内側フレーム体３３Ｂ、及び、前後向きフレーム体１７Ｒ，１７Ｌの前部側箇所に一体的に連結された取付ブラケット３８Ｒ，３８Ｌとによって、側面視で略三角形が形成されており、これらの各フレーム体によりトラス構造に相当するような支持構造が形成されている。従って、充分な支持強度を有する状態で搭乗運転部７（キャビン６）が支持される構成となっている。
【００７９】
図１２に示すように、内側フレーム体３３のうち、直立状内側フレーム体３３Ｂ及び前部側の傾斜状内側フレーム体３３Ａは、左右一対の前輪１の車軸に相当する前部側横向きフレーム体１８ａの近傍に支持されることになる。
【００８０】
次に、外側フレーム体３４について説明する。
図１０、図１１及び図１２に示すように、左右両側の外側フレーム体３４は、夫々、３本の張り出し型の横向きフレーム体１８ｃ，１８ｄ，１８ｅのうちの車体最前部に位置する横向きフレーム体１８ｃの横幅方向の両端部に連結ブラケット３９を介して下端部が連結され、その下端部から車体前方上方に向けて略円弧状に屈曲させた状態で延設する状態で設けられている。
【００８１】
外側フレーム体３４の上端部には、車体前後方向に沿って延びる角筒状の前後向き連結部材４０が固定され、この前後向き連結部材４０の車体前後方向両側部と前後向き連結体３７とにわたって前後一対の横向き連結部材４１が架設連結されている。そして、この横向き連結部材４１に対して左右両側で各２箇所ずつ合計４箇所にて、クッション材４２を介して搭乗運転部７（キャビン６）が支持される構成となっている。
【００８２】
このように、外側フレーム体３４と内側フレーム体３３とが、前後向き連結部材４０、前後一対の横向き連結部材４１、及び、前後向き連結体３７の夫々によって一体的に連結されて、縦フレームＦｔが構成されており、キャビン６は、左右一対の前後向きフレーム体１７Ｒ、１７Ｌ夫々から立設された左右一対の縦フレームＦｔの上端部にて支持される構成となっている。
【００８３】
上述したように、縦フレームＦｔとして、左右一対の前後向きフレーム体１７Ｒ，１７Ｌから車体前方上方に向けて立設された傾斜状内側フレーム体３３Ａを備える構成としてあり、図１２に示すように、搭乗運転部７（キャビン６）が、その前端部を左右一対の前後向きフレーム体１７Ｒ，１７Ｌの前端部よりも車体前方側に変位させた前方突出状態で設けられる構成となっている。
【００８４】
又、図１２の記載から明らかなように、内側フレーム体３３は、左右一対の前輪１の車軸に支持される
【００８５】
このように搭乗運転部７（キャビン６）が、左右両側の縦フレームＦｔによってその下方側に空間が形成される状態で支持されており、刈取搬送部４におけるフィーダ１２が左右両側の縦フレームＦｔの間であって且つ搭乗運転部７（キャビン６）の下方側箇所を通して刈り取った作物を後方に搬送するように構成されている。
【００８６】
図１及び図２に示すように、キャビン６には、車体前方外方側及び車体横幅方向外方側を照明する照明装置としての複数の照明ランプ４３が備えられている。
図５に示すように、キャビン６の前面部の下部には、左右両側に２個ずつ合計４個の車体前方側の遠方を照らす前方照射ランプ４３ａが設けられ、キャビン６の前面部の上部には、左右両側に２個ずつ合計４個の車体前方の刈取対象箇所を照らす刈取箇所照射ランプ４３ｂが設けられている。そして、キャビン６の左右側面部における前側上部箇所には、夫々、１個ずつ車体横幅方向外方側を照明する側方照射ランプ４３ｃが設けられている。
【００８７】
図５に示すように、搭乗運転部７（キャビン６）は、正面視において左右一対の前輪１夫々の上方箇所に亘って設けられており、キャビン６における右側（車体横幅方向一方側の一例）のドア４４よりも外側箇所にステップ部４５が備えられ、キャビン６における左側（車体横幅方向他方側の一例）の端部位置６Ｌと走行車体３の左側の端部位置３Ｌとが、車体横幅方向で略同じ位置に設定され、且つ、ステップ部４５における右側の端部位置４５Ｒと走行車体３の右側の端部位置３Ｒとが、車体横幅方向で略同じ位置に設定されている。キャビン６における左側のドア４６よりも外側箇所には、車体外方から搭乗運転部７に対して運転者が乗り降りするための乗降用の梯子６０が設けられている。
【００８８】
そして、図３に示すように、キャビン６における右側の乗降用のドア４４が車体前部側の縦向き揺動支点Ｙ２周りで開閉自在に設けられ、キャビン６における左側の乗降用のドア４６が車体後部側の縦向き揺動支点Ｙ３周りで開閉自在に設けられている。
【００８９】
キャビン６には、左右両側部に後方確認用のサイドミラー４７が備えられており、このサイドミラー４７は、角度調節自在であり、作業状況に応じて角度を調節できるようになっている。そのうち、ステップ部４５が設けられていないキャビン６の左側のサイドミラー４７は、左側のドア４６が車体後部側の縦向き揺動支点Ｙ３周りで開閉自在であることから、搭乗運転部７からドア４６をあけた状態で調節作業を行える。一方、キャビン６の右側のサイドミラー４７は、ドア４４を開けた状態で調節することはできないが、ドア４４を締めて作業者がステップ部４５上を移動することで作業を行える。
【００９０】
上述したように、エンジン１０は、右側外方側に張り出している張り出しフレーム部Ｆｈの前側部分に支持されており、キャビン６の車体後方下方側に位置する状態で配備される構成となっている。
【００９１】
そして、エンジン１０の排気ガスが通流する排気管４９、及び、エンジン１０に吸気される燃焼用の空気が通流する吸気管５０が、キャビン６の後側面６Ａに沿って上下方向に延びる状態で、且つ、排気管４９の上端に形成された排気ガス排出部５１を吸気管５０の上端に形成された空気取り入れ部としてのプレクリーナ５２よりも上方に離間して位置させた状態で備えられている。
【００９２】
又、図３に示すように、脱穀部８から穀粒を穀粒タンク９に搬送する穀粒搬送装置５３が、穀粒タンク９とキャビン６との間に位置する状態で備えられ、その穀粒タンク９とキャビン６との間において、穀粒搬送装置５３における機体横幅方向の右側方箇所に排気管４９及び吸気管５０が備えられている。
【００９３】
具体的には、図１３に示すように、エンジン１０の排気をエンジン１０の上方に位置する排気マフラー５４を通過した後にキャビン６の後側面６Ａに沿うように上方に案内する排気管４９が設けられている。排気管４９は、キャビン６の後側面６Ａに沿う箇所であって且つキャビン６の右側端部に対応する箇所に備えられ、その上端部に形成された排気ガス排出部５１がキャビン６の天井部６Ｂと略同じ高さになる状態で備えられている。
【００９４】
排気管４９及び吸気管５０は夫々、キャビン６の後側面６Ａに沿う箇所であって且つキャビン６の右側端部に対応する箇所に備えられるが、吸気管５０は、キャビン６の右側端部のうち、キャビン６における機体横幅方向外方側に寄った箇所に備えられる。一方、排気管４９は、キャビン６の右側端部のうち、キャビン６における機体横幅方向中央側に寄った箇所に備えられている。
【００９５】
図１３に示すように、エンジン１０に燃焼用空気を供給するための吸気管５０が、排気管４９と同様に、キャビン６の後側面６Ａに沿う箇所であって且つキャビン６の右側端部に対応する箇所に備えられており、プレクリーナ５２がキャビン６の上下中間部と略同じ高さに位置する状態で備えられている。
【００９６】
吸気管５０により形成される燃焼用の空気の吸気経路途中に空気を清浄作用を発揮するエアークリーナ５５が介装されている。この吸気経路途中に介装されるエアークリーナ５５が、キャビン６の後部に搭乗運転部７の運転部ステップ５６と略同じ高さに形成された載置台５７に支持される状態で備えられている。
【００９７】
説明を加えると、キャビン６の後側面６Ａにおける右側端部に、運転部ステップ５６の高さと略同じ高さに載置台５７が形成されており、この載置台５７に、キャビン６の右側面６Ｃよりも右側外方に突出させた状態で、エアークリーナ５５を載置させて位置固定状態で支持する構成となっている。
【００９８】
このようにエアークリーナ５５を載置台５７に支持する構成とすることで、運転者がエアークリーナ５５の清掃やメンテナンス作業を行う場合には、車体から降りることなく、キャビン６における右側のドア４４よりも外側箇所に備えられたステップ部４５から作業を能率よく行うことができる。又、エアークリーナ５５だけでなく、プレクリーナ５２もキャビン６の右側面６Ｃよりも右側外方に突出させた状態で設けられるので、プレクリーナ５２のメンテナンス作業も行い易いものとなる。
【００９９】
又、具体的な構成については詳述はしないが、穀粒タンク９に貯留される穀粒を機体外部に排出させるための穀粒排出部５８が、車体横幅方向の右側方箇所に位置する状態で備えられ、穀粒タンク９の穀粒排出状態をステップ部４５から確認することができる。
【０１００】
〔別実施形態〕
（１）上記実施形態では、左右一対の前後向きフレーム体１７Ｒ，１７Ｌは、走行車体３の全長にわたって延びるように設けられる構成としたが、走行車体３の全長よりも短い範囲にわたって設けられるものでもよく、走行車体３の前部側だけに備えられる構成としてもよい。このように左右一対の前後向きフレーム体１７Ｒ，１７Ｌが走行車体３の前部側だけに備えられる場合には、走行車体３の後部側箇所には、別途、フレーム体が備えられることになる。
【０１０１】
（２）上記実施形態では、搭乗運転部７が、その前端部を左右一対の前後向きフレーム１７Ｒ，１７Ｌの前端部よりも車体前方側に変位させた前方突出状態で設けられる構成としたが、搭乗運転部７の前端部が左右一対の前後向きフレーム１７Ｒ，１７Ｌの前端部と同じ位置あるいは後方側に変位した位置に設けられる構成としてもよい。
【０１０２】
（３）上記実施形態では、搭乗運転部７がキャビン６にて覆われる構成の刈取収穫機を示したが、搭乗運転部７がキャビン６にて覆われていない構成の刈取収穫機でもよい。
【０１０３】
（４）上記実施形態では、縦フレームＦｔを構成する内側フレーム体３３が、左右一対の前輪１の車軸に支持される構成としたが、左右一対の前後向きフレーム１７Ｒ，１７Ｌが前輪１の車軸から片持ち状に延出された箇所に内側フレーム体３３を支持する構成としてもよい。
【０１０４】
（５）上記実施形態では、搭乗運転部７を支持する縦フレームＦｔが、左右一対の前輪１の車体横幅方向内方側にて立設された内側フレーム体３３と、左右一対の前輪１の車体後方側にて立設された外側フレーム体３４とを備えて構成されるものを示したが、このような構成に代えて、内側フレーム体３３と外側フレーム体３４のうちのいずれか一方により構成されるものでもよい。
【０１０５】
（６）上記実施形態では、左右一対の後輪２を支持する後車軸ケース２３が車体前後軸芯Ｘ１周りで揺動自在に支持される構成を示したが、後車軸ケース２３や後輪２を姿勢固定状態で備える構成としてもよい。
【０１０６】
（７）上記実施形態では、左右一対の走行装置として、左右一対の前輪１と左右一対の後輪２とが備えられる構成としたが、このような構成に代えて、左右一対のクローラ式の走行装置を備える構成としてもよい。
【０１０７】
（８）上記実施形態では、刈取収穫機としてコンバインを示したが、コンバインに限らず、トウモロコシ収穫機など刈り取った作物を脱穀することなくそのまま積載収納した状態で収穫する刈取収穫機であってもよい。
【産業上の利用可能性】
【０１０８】
本発明は、コンバインやトウモロコシ収穫機等、走行車体に作物を刈り取って後方に搬送する刈取搬送部を備えた刈取収穫機に適用できる。
【符号の説明】
【０１０９】
１                前輪
２                後輪
３                走行車体
４                刈取搬送部
６                キャビン
７                搭乗運転部
１０              エンジン
１７Ｒ，１７Ｌ    前後向きフレーム体
１８ｃ            張り出しフレーム
２３              後車軸ケース
３３              内側フレーム体
３３Ａ            傾斜状内側フレーム体
３３Ｂ            直立状内側フレーム体
３４              外側フレーム体
３７              前後向き連結体
４１              左右向きの連結体
Ｆ                車体フレーム
Ｆｔ              縦フレーム
Ｍ                トランスミッション
【図１】
2013158256.tif 000003
【図２】
2013158256.tif 000004
【図３】
2013158256.tif 000005
【図４】
2013158256.tif 000006
【図５】
2013158256.tif 000007
【図６】
2013158256.tif 000008
【図７】
2013158256.tif 000009
【図８】
2013158256.tif 000010
【図９】
2013158256.tif 000011
【図１０】
2013158256.tif 000012
【図１１】
2013158256.tif 000013
【図１２】
2013158256.tif 000014
【図１３】
2013158256.tif 000015